(57)【要約】【課題】遠赤外線（熱）信号の放射により生きている餌と勘違いするように温もりが感じられるために、フィッシュイーターが飛びつくことになる生命体に近いルアーを提供する。【解決手段】常温で遠赤外線を放出する鉱物であるグラファイトシリカをルアーの一部または全部に有し、グラファイトシリカによって遠赤外線を放出可能に構成した。【効果】構造が複雑となるような加熱手段を取るものではなく、特殊な鉱物としてのグラファイトシリカを利用したもので、それから発する生物育成光線としての遠赤外線（熱）信号の放射により、生きている餌、生命体と勘違いするように温もりが感じられるために、フィッシュイーターが飛びつくことになる。【選択図】    図１
2004222617.tif 000002
【特許請求の範囲】
【請求項１】
常温で遠赤外線を放出する鉱物であるグラファイトシリカをルアーの一部または全部に有し、グラファイトシリカによって遠赤外線を放出可能に構成したことを特徴とするルアー。
【請求項２】
常温で遠赤外線を放出する鉱物であるグラファイトシリカを粉末化し、ルアーの一部または全体が、その成形材料にグラファイトシリカの粉末を分散して混入ないし練り混んで成形してあることを特徴とする請求項１記載のルアー。
【請求項３】
常温で遠赤外線を放射する鉱物であるグラファイトシリカを粉末化し、その粉末を塗料、トップコート、コーティング材などに混入し、ルアーの一部または全体に塗布してあることを特徴とする請求項１記載のルアー。
【発明の詳細な説明】
【０００１】
【発明の属する技術分野】
この発明は、ルアーフィッシイングにおいて魚を釣る擬餌バリとして使用するルアーに関する。
【０００２】
【従来の技術】
ルアーフィッシイングは、１７００年代ヨーロッパに、釣り人が誤ってスプーンを湖に落としたところマスが飛びついたのがきっかけとなって始まり、ルアーについて今日に至るまで様々な工夫がなされ、多種類のルアーが提供されてきている。ルアーフィッシイングの魅力は、生き餌や本物の餌を使わないで、イミテーションの餌（ルアー）を使っての釣りであるので、ルアーの種類を選択して操作し、魚とのかけひきを楽しむことにあるとされる。
【０００３】
ルアーの種類については、色や形、大きさ、材質、または浮くもの、沈むもの、音を出すもの、等とタイプも膨大である。大きく分類してみると、形態では、エビ、ミミズ、昆虫類などの生物形状を模すものとして、スピナー、スプーン、スピナーベイト、プラグ、ジグ、ソフトルアーの６タイプがあり、材質では、主に成形の都合から、金属性、バルサ・プラスチック、ソフトプラスチックの３タイプ、機能では、生物行動に似せて浮くタイプ、潜るタイプ、沈むタイプの３種類である。さらに、生物信号として放出される光（明暗）や音（振動）、色、臭い、味といった機能が付加されることもある。しかし、従来、生物信号の一つとしての熱を利用したルアーは、水中での加熱の困難性があってか存在しなかった。
【０００４】
【発明が解決しようとする課題】
ルアーが狙う対象魚は、食性が小魚類や水生昆虫などの虫類、また、エビやカニなどの甲殻類といった肉食性の餌を捕食する魚類、それも生きているものを捕食する所謂フィッシュイーターと呼ばれる魚類である。例えば、淡水魚としては、イワナ、ヤマメ、ヒメマス（以上在来種）、ニジマス、ライギョ、ブラックバス（以上外来種）などであり、海水魚としては、カツオ、スズキ、メバル、シイラ、ヒラメ、カマスなどである。
【０００５】
これらの魚類（フィッシュイーター）は、ルアーを生きた餌と勘違いして飛びつくのであるが、それが本物ではないことから、魚が勘違いしないで全く無関心でいるために釣れないということも多い。つまり、上記のような従来のルアーの形態、材質、機能についての追求に未だに不十分であり、特に生体エネルギーとしての熱に対する観点に欠けているということを意味していると考えられる。
【０００６】
この発明は、上記のような実情に鑑みて、遠赤外線（熱）信号の放射により生きている餌と勘違いするように温もりが感じられるために、フィッシュイーターが飛びつくことになる生命体に近いルアーを提供することを目的とした。
【０００７】
【課題を解決するための手段】
上記の目的を達成するために、この発明は、常温で遠赤外線を放出する鉱物であるグラファイトシリカをルアーの一部または全部に有し、グラファイトシリカによって遠赤外線を放出可能に構成したことを特徴とするルアーを提供するものである。
【０００８】
【作用】
ルアーを上記のように構成したから、これをルアーフィッシイングに使用したときには、常温または常温に近い水中温度において、グラファイトシリカが６〜１４μｍの波長の遠赤外線を高率で放出する。その波長の遠赤外線は、動植物の吸収波長に該当する生物育成光線であるので、ルアーに近づいた魚類は、その波長を受けて、身体細胞に共振／共鳴現象が生じることにより微弱な熱が魚体に発生し、それによりルアーを温かみある生きた餌と感じることになる。また、遠赤外線の水中への放出は、近辺の水を水質改善するために、魚類が好餌と感じることも考えられる。
【０００９】
【発明の実施の形態】
この発明は、天然に産出するグラファイトシリカが、常温で遠赤外線を放出する量が多いこと、および、その性質が生体活動において発生する熱（生物育成光線）に非常に近似していることに着目し、これをフィッシュイーターを呼び寄せる生体信号として利用したものである。グラファイトシリカは、数億年の間、海底の珪藻類が堆積して地表に隆起した天然鉱石で、多種の天然ミネラルをふんだんに含み、遠赤外線をはじめとする様々な生活波動を放射発散する特徴を有している。したがって、これをそのままルアーＲに使用しても良いが、粉末化して塗料５やプラスチック素材６などに混入すると（請求項２，３）、表面積が多くなるので、遠赤外線の放射量が格段に多くなる。
【００１０】
グラファイトシリカが常温で発生する遠赤外線は、６μｍ〜１４μｍの波長の範囲にある生物育成光線で、生物の細胞に共鳴／共振現象を起こし、また、水分子（クラスター）を小さくすることから、生物の生育に良好に作用し、また、水質の改善、食品の鮮度保持、防菌などの有益な機能を有していることが知られているが、グラファイトシリカから発生する遠赤外線の放射率は、９８パーセントと非常に高いのが特徴であり、水中において、この高い率の遠赤外線の放射を受け、フィッシュイーターが共鳴／共振現象から微熱を感じ取ることになる。
【００１１】
また、グラファイトシリカは、学術名であって、ブラックシリカとも称される黒色鉱物である。先第三系黒色硬質泥岩類中の断層破砕部に産出し、炭素含有率数パーセントの黒色物であって、珪酸を主成分とし、アルミナ・酸化鉄・その他を含有する。産出地は、北海道渡島半島、上ノ国町北東部である。表１がその成分分析表を示す。
【００１２】
【表１】
2004222617.tif 000003
【００１３】
生物育成光線としての遠赤外線特性として付け加えると、水のクラスター（重合）の切断の他に、植物・種子中の底分子物質の重合を切断したり、不飽和脂肪酸の二重結合を切断したりすることが最近の研究で明らかになった。さらに、グラファイトシリカは、サルモネラ菌、赤痢菌、チフス菌や、アンモニア、ホルムアルデヒド、硫化水素の気体を吸収することも研究機関で確認されている。このように、水質の改善や環境改善がフィッシュイーターに好意的に受けられる。
【００１４】
グラファイトシリカは、先にも述べた通り、粉末化して素材に混入して利用されることが望ましいが、その混入の形態や使用箇所については特に限定するものではなく、ルアー本体１であったりその付属部品であったりする。しかし、量的に見て、ルアー本体１や、装備品としてのラバースカート１３などが適している。また、本体１やラバースカート１３などに混入するには、プラスチック素材６、特にシリコーン樹脂やゴム、アクリル系樹脂に混入すると、その成形品が生き餌に近似しやすい。表２は、アクリル樹脂への混入の試験結果を示したもので、これから見て２パーセントから３０数パーセント程度の混入が好ましい。
【００１５】
【表２】
2004222617.tif 000004
【００１６】
【発明の効果】
以上説明したように、この発明のルアーによれば、構造が複雑となるような加熱手段を取るものではなく、特殊な鉱物としてのグラファイトシリカを利用したもので、それから発する生物育成光線としての遠赤外線（熱）信号の放射により、生きている餌、生命体と勘違いするように温もりが感じられるために、フィッシュイーターが飛びつくことになるという優れた効果がある。
【００１７】
また仮りに、本発明に係るルアーを水中で失ったとしても、そのルアーに係るグラファイトシリカの水質改善効果が期待できる。即ち、現在、ルアー業界では、自然に負荷の少ないルアー作りが急務とされているが、その点では、本発明に係るルアーは、上記した水質の改善や環境改善効果を期待できるので好ましいものである。
【００１８】
【実施例】
次に、この発明の代表的な幾つかの実施例を図面に基づいて説明する。
【００１９】
図１のルアーＲは、プラグのうちでもリップ３を有するクランクベイトに実施した例を示したもので、クランクベイトとしてプラスチックにより成形した本体１の外面に、グラファイトシリカ２を混入した塗料５が塗布されている。
【００２０】
図２は、同じくクランクベイトとしてのルアーＲを示したものであるが、この場合は、本体１を成形するプラスチック素材６にグラファイトシリカ２が混入される。なお、内部は中空である。
【００２１】
図３は、スピナーベイトについて実施した場合を示し、そのルアーＲは、虫を擬似した本体１にアーム９を介してブレイド１１を装着し、本体１にラバースカート１３を装着したものであるが、ラバースカート１３が多数本のラバー紐１５，１５，・・をバンド１７により本体１の胴部で結束して構成されるので（図４）、そのラバー紐１５を成形するシリコンゴムのプラスチック素材６にグラファイトシリカ２が混入される。
【００２２】
図５に示すルアーＲは、ジグの一種としてのラバージグであって、これも虫に似せた本体１にバンド１７で結束して多数のラバー紐１５，１５，・・を結束してラバースカート１３が具備されるが、このラバー紐１５についても、図４に示すと同様に、シリコンゴムのプラスチック素材６にグラファイトシリカ２が混入される。
【００２３】
図６は、ワームの一種を示すもので、その場合のルアーＲは、通常のワームと同様に、ソフトプラスチック（酢酸ビニール、シリコンゴムなど）というやわらかいプラスチック素材６により成形されているが、そのプラスチック素材６の中にグラファイトシリカ２が混入されている。
【図面の簡単な説明】
【図１】この発明の一実施例によるルアーを一部切欠して示すとともに切欠した面を引出し線で拡大して示す斜視図である。
【図２】他の実施例によるルアーを一部切欠して示すとともに切欠した面を引出し線で拡大して示す斜視図である。
【図３】他の実施例によるルアーを示す斜視図である。
【図４】同実施例におけるルアーのラバースカートの一部を示すとともに破断した面を引出し線で拡大して示す斜視図である。
【図５】他の実施例によるルアーの斜視図である。
【図６】他の実施例によるルアーを一部切欠して示すとともに切欠した面を引出し線で拡大して示す斜視図である。
【符号の説明】
Ｒ  ルアー
１  ルアー本体
２  グラファイトシリカ
５  塗料
６  成形材料としてのプラスチック素材
１３  ルアーの一部としてのラバースカート
【図１】
2004222617.tif 000005
【図２】
2004222617.tif 000006
【図３】
2004222617.tif 000007
【図４】
2004222617.tif 000008
【図５】
2004222617.tif 000009
【図６】
2004222617.tif 000010